(57)【特許請求の範囲】
【請求項１】
先端にヘッドピンを有し、印字用紙に対して前記ヘッドピンを打ち出して印字を行う印字ヘッドと、該印字ヘッドの印字力を支持するためのプラテンと、前記印字用紙を順方向または逆方向に搬送するためのトラクタと、前記プラテン下方に設置され、前記印字用紙を逆方向に搬送すると共に一定の用紙張力を付加する搬送ローラと、前記印字ヘッドと前記プラテンとの間隙を前記印字用紙が垂直方向に走行するべく案内するペーパガイドと、前記ペーパガイドの両端に固定され、該ペーパガイドが上下方向に抜き差し可能な様にスライドさせる突起部を有する一対のスライドブッシュと、前記スライドブッシュの突起部に勘合し、スライドする溝が形成された一対のスライドレールとを有するドットプリンタにおいて、
前記一対のスライドブッシュの夫々に突起部を２ずつ設け、前記一対のスライドレールの夫々に溝を２ずつ設置し、前記ペーパガイドが前記スライドレールに案内され移動する経路上で隣接する部材と接触しないように構成したことを特徴とするドットプリンタのペーパガイド脱着機構。
【請求項２】
請求項１記載のドットプリンタのペーパガイド脱着機構において、
前記ペーパガイドの取手部にラッチを設け、前記ペーパガイドの取手部の弾性を利用して固定、取り外しを行うことを特徴とするドットプリンタのペーパガイド脱着機構。
【請求項３】
請求項２記載のドットプリンタのペーパガイド脱着機構において、
電気的に接地してあるメカフレームに対し、前記ペーパガイドの一面を前記メカフレームに押付け、前記ペーパガイドの取手部のラッチを利用して固定、取り外しを行うと同時に前記ペーパガイドを電気的に接地させることを特徴とする前記記録媒体プラー部は駆動トラクタとし、前記記録媒体スキュー補正部は駆動と従動とを切り替える手段を有し、且つ従動時には回転負荷力を可変できる手段を有するドットプリンタのペーパガイド脱着機構。
【発明の詳細な説明】
【０００１】
【発明の属する技術分野】
本発明は、ドットラインプリンタの用紙案内用ペーパガイドに関するものであり、さらに詳しくはペーパガイド脱着を容易に行える機構に関するものである。
【０００２】
【従来の技術】
ドットプリンタは、図３に示す様に、単数又は複数個の印字ヘッド１の先端に装着されているヘッドピンを適時打ち出すことで、インクリボン２を介して印字用紙３に印字を行うハンマ機構部と、ハンマ機構部を桁方向に移動させる図示しないシャトル機構部と、印字用紙３をトラクタ５及びゴムローラ８によって桁方向と垂直方向に搬送する紙送り機構部により構成されている。
【０００３】
また、紙送り機構部には、印字用紙３及びインクリボン２を脱着するために、プラテン４を開閉する機能も同時に備えている。プラテン開閉とは、プラテン４を印字ヘッド１から大きく離したり、元の位置の間隙状態に戻したりすることである。
【０００４】
近年、ドットプリンタにおいては、種々の印字用紙３が使用され、１枚紙から数頁の用紙を束ねた帳票、伝票、ラベルシートを貼りつけたラベル紙など、使用範囲は多種多様となってきている。
【０００５】
日常印字を行っているなかでは、印字用紙３の走行経路上で用紙ジャムが発生する場合があり、特にラベル紙のシートが剥がれて印字用紙３の走行経路上に付着するケースもある。この様な場合、オペレータがプラテン４の開閉を行ってラベルシートを剥がしたり、用紙ジャムを修復する必要がある。ラベルシートの貼りつきや用紙ジャムが印字ヘッド１やプラテン４近傍にて発生した場合については、オペレータが直接手で清掃できるスペースを確保している場合が多いが、プラテン４の下方については、プラテン４の開閉量が制限される場合が多く、ほとんどはオペレータが直接手を入れて清掃できるスペースを確保できないのが現状である。このようにプラテン４下方にてラベルシート付着や用紙ジャムが発生した場合には、オペレータが自己保守できないため、保守員が清掃作業することがほとんどであり、復旧までに長時間を必要としている。この様なケースの修復は保守員作業レベルとなることより、プラテン４下方の印字用紙３走行経路であるペーパガイド６はねじ７等により固定しており、ペーパガイド６の脱着はドライバ工具を使用して行うことが多い。
【０００６】
この様な問題から、最近プラテン４下方のペーパガイド６をオペレータ自身が脱着できる様にする機構を設ける場合が増えて来ている。オペレータがペーパガイド６を脱着可能とするためには、ねじ７等を使用しないで簡単に行うことができる構造であることが必要不可欠である。このためには、ペーパガイド６を上下方向にスライドさせて抜き差しする構造が必要となる。
【０００７】
前記ペーパガイド６の脱着機構の構成を、図４及び図５に示す。
【０００８】
具体的構造としては、ペーパガイド６をスライドさせるための突起９と、ペーパガイド６を案内するための溝１０、ペーパガイド６を抜き差しする時の可動範囲を制限する可動制限用ピン１１などを設け、ペーパガイド６を抜き差しする経路上でプラテン４や印字ヘッド１、ゴムローラ８などの他の部品と干渉しないようにしている。
【０００９】
また、ペーパガイド６の固定についても、プラテン４の開閉時に固定用ピン１２がペーパガイド６を貫通し、固定板１３に差し込み固定する等の複雑な構成を必要とする。固定板１３はメカフレーム１５にネジ１４等によって固定されている。
【００１０】
【発明が解決しようとする課題】
従来のペーパガイド６の脱着に関しては、ペーパガイド６を抜き差しする際の経路上に、ゴムローラ８、プラテン４、印字ヘッド１などの部品が配設され、経路上のスペースもかなり制限される。このため、ペーパガイド６をスライドさせる為のスライドレール１０の溝が形成困難な場合も多い。このようなことから、これらの部品と干渉しない様にするため、ペーパガイド６の抜き差し時の可動範囲を制限させる部品やペーパガイド６の固定用部品が多数必要となり、原価上高価になるという問題があった。
【００１１】
【課題を解決するための手段】
本発明は、ペーパガイド６の抜き差しを行う際に、他の部品との干渉を防止するために可動範囲を制限するための機能、及びペーパガイド６を固定する機能をペーパガイド６自身に組込むことにより、それらの機能を確保するための余分な部品を削除できる様に工夫したものである。
【００１２】
すなわち、上記課題を解決する本発明の構成は、先端にヘッドピンを有し、印字用紙に対して前記ヘッドピンを打ち出して印字を行う印字ヘッドと、該印字ヘッドの印字力を支持するためのプラテンと、前記印字用紙を順方向または逆方向に搬送するためのトラクタと、前記プラテン下方に設置され、前記印字用紙を逆方向に搬送すると共に一定の用紙張力を付加する搬送ローラと、前記印字ヘッドと前記プラテンとの間隙を前記印字用紙が垂直方向に走行するべく案内するペーパガイドと、前記ペーパガイドの両端に固定され、該ペーパガイドが上下方向に抜き差し可能な様にスライドさせる突起部を有する一対のスライドブッシュと、前記スライドブッシュの突起部に勘合し、スライドする溝が形成された一対のスライドレールとを有するドットプリンタにおいて、前記一対のスライドブッシュの夫々に突起部を２ずつ設け、前記一対のスライドレールの夫々に溝を２ずつ設置し、前記ペーパガイドが前記スライドレールに案内され移動する経路上で隣接する部材と接触しないようにしたことにある。
【００１３】
【発明の実施の形態】
本発明による一例の形態を図１及び図２を参照して説明する。以下に詳述する部分以外については、従来技術と同様なので説明は省略する。
【００１４】
まず、ペーパガイド２６の脱着機構の全体構成を図１に示す。また、図２の（ａ）はペーパガイド２６をメカフレーム１５に挿入しセットした状態、図２の（ｂ）はペーパガイド２６をメカフレーム１５から引き抜く時の状態を示す。ペーパガイド２６は印字用紙が走行する時に絶えず接触するため、磨耗防止としてメッキ鋼板などを使用する。
【００１５】
ペーパガイド２６の抜き差しを行う際の経路上には、ゴムローラ８、プラテン４、印字ヘッド１などが配設されている。これらの部品とペーパガイド２６を干渉させないようにスライドさせるためのスライドブッシュ２９に突起を２個形成し、それと同時にスライドブッシュ２９の突起を受ける側のスライドレール３０の溝も２本形成する。この時、スライドブッシュ２９の２個の突起はスライドレール３０の溝によって回転が拘束される。この場合の回転量をペーパガイド２６が印字ヘッド１とプラテン４に接触しないよう可動範囲を設定する。
【００１６】
さらに、ペーパガイド２６を図２（ａ）の状態からスライドさせる際、真上に動かすとゴムローラ８に干渉する。この場合、ペーパガイド２６をゴムローラ８から遠ざけるように斜め上方にスライドさせるようにする。
【００１７】
また、図２（ａ）に示す様に、ペーパガイド２６をメカフレーム１５に固定する際、ペーパガイド２６の内側ガイド曲げ部１６をメカフレーム１５に固定されるステー１７に押付け、取手部１８に設けた突起１９とメカフレーム１５の凹み部２０を勘合させる。この様にすることによりメカフレーム１５とペーパガイド２６とを電気的に接地させ、ペーパガイド２６に静電気が帯電することを防止するようにするとよい。
【００１８】
【発明の効果】
以上、前述した様にペーパガイド２６に取り付けたスライドブッシュ２９の突起を２個形成することにより、ペーパガイド２６の可動範囲を印字ヘッド１及びプラテン４に干渉しない範囲に拘束させることができる。このことにより、他の部品に傷等を付けずにペーパガイド２６を容易に抜き差し可能となる。
【００１９】
また、ペーパガイド２６の内側ガイド曲げ部１６をメカフレーム１５のステー１７に直接押し付けて固定することにより、ペーパーガイド２６上に静電気が帯電することを防止でき、信頼性の向上が図れる。
【００２０】
以上の様に構成することにより、ペーパガイド２６の脱着が容易にでき、安価で信頼性が高いドットプリンタを提供することが可能となる。
【図面の簡単な説明】
【図１】  本発明の一例となるペーパーガイドの全体構成を示す斜視図。
【図２】  図１のペーパーガイドの着脱状態を示す側面図。
【図３】  従来例を示す側面図である。
【図４】  その他の従来例を示す斜視図である。
【図５】  その他の従来例を示す側面図である。
【符号の説明】
１は印字ヘッド、２はインクリボン、３は印字用紙、４はプラテン、５はトラクタ、６はペーパガイド、７はネジ、８はゴムローラ、９はスライドブッシュ、１０はスライドレール、１１はピン、１２は固定用ピン、１３は固定板、１４はネジ、１５はメカフレーム、１６は内側ガイド曲げ部、１７はステー、１８は取手、１９は突起、２０は凹み部、２６はペーパガイド、２９はスライドブッシュ、３０はスライドレールである。
【図１】
0003763336.tif 000002
【図２】
0003763336.tif 000003
【図３】
0003763336.tif 000004
【図４】
0003763336.tif 000005
【図５】
0003763336.tif 000006